【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
第１のユニットと、
前記第１のユニットの上方に配置された第２のユニットと
を有し、
前記第２のユニットは、
ユーザによる操作入力を受け付ける入力部と、
前記第２のユニットに固定され、前記入力部との間に隙間をもって配置され、認証ユニットを収納する認証ユニット収納部と
を有することを特徴とする情報処理装置。
【請求項２】
本体と、
前記本体に取り付けられ、媒体が排出されるスタッカを有するカバーと
を有し、
前記本体は、
ユーザによる操作入力を受け付ける入力部と、
前記入力部と隣接して配置され、認証ユニットを収納するための認証ユニット収納部と、
媒体に画像形成するための画像形成部と
を有することを特徴とする情報処理装置。
【請求項３】
前記認証ユニット収納部は、
前記認証ユニットを収納する収納部と、
前記認証ユニットを取り付けるときに、前記収納部を開閉するための開閉蓋と
を有することを特徴とする請求項１記載の情報処理装置。
【請求項４】
前記認証ユニット収納部は、
前記認証ユニットを収納する収納部と、
前記認証ユニットを取り付けるときに、前記収納部を開閉するための開閉蓋と
を有することを特徴とする請求項２記載の情報処理装置。
【請求項５】
前記第２のユニットは、ＡＤＦユニットを有し、
前記ＡＤＦユニットの配置される領域外に前記認証ユニットが配置されることを特徴とする請求項１又は３に記載の情報処理装置。
【請求項６】
前記第１のユニットは、
媒体に画像形成するための画像形成部と、
前記画像形成部で形成された前記媒体をスタックするスタッカと
を有し、
前記認証ユニットは、前記スタッカの鉛直上部に配置されることを特徴とする請求項１又は３に記載の情報処理装置。
【請求項７】
前記認証ユニットは、前記スタッカの鉛直上部に配置されることを特徴とする請求項２又は４に記載の情報処理装置。
【請求項８】
前記認証ユニット収納部は、
前記認証ユニットの読取面の反対側に把持部を有することを特徴とする請求項１から４までの何れか１項に記載の情報処理装置。
【請求項９】
前記認証ユニットは、鉛直方向上部から前記収納部へ取り付けられることを特徴とする請求項３又は４記載の情報処理装置。
【請求項１０】
前記入力部と前記認証ユニットは、第１の方向に併設され、
前記認証ユニットは、コネクタを有し、
前記認証ユニット収納部は、前記コネクタを前記第１の方向に挿入するためのソケットを有することを特徴とする請求項１から９までの何れか１項に記載の情報処理装置。
【請求項１１】
コネクタが前記入力部側に設けられることを特徴とする請求項１０記載の情報処理装置。
【請求項１２】
前記第１のユニットに対して前記第２のユニットは回動自在であって、
前記第２のユニットの回動方向と前記開閉蓋の開閉方向は、略直交する方向であることを特徴とする請求項３記載の情報処理装置。
【請求項１３】
前記開閉蓋は、開いた状態で前記第２のユニットに保持されることを特徴とする請求項３又は１２に記載の情報処理装置。
【請求項１４】
前記収納部は凹部であって、
前記認証ユニット収納部は、前記凹部の前記認証ユニットを載置する載置面から突出して形成され、前記認証ユニットをラッチするためのラッチを有することを特徴とする請求項３、４、９、１２、１３の何れか１項に記載の情報処理装置。
【請求項１５】
前記認証ユニットは、ＩＣカードリーダであることを特徴とする請求項１から１４までの何れか１項に記載の情報処理装置。
【請求項１６】
前記認証ユニットはＩＣカードリーダであり、
前記開閉蓋は、前記ＩＣカードリーダで読み取るためにＩＣカードを載置可能な載置面を有することを特徴とする請求項３又は４に記載の情報処理装置。
【請求項１７】
前記認証ユニット収納部は、
前記載置面の下部に形成され、前記認証ユニットのケーブルの余長を収納するケーブル収納空間を有することを特徴とする請求項１６記載の情報処理装置。
【請求項１８】
前記第２のユニットは、
フラットベッドユニットと、
前記フラットベッドユニットに対して回動自在のＡＤＦユニットと
を有し、
前記認証ユニット収納部を形成する枠部は、
前記フラットベッドユニットのフレームと連続して形成されることを特徴とする請求項１記載の情報処理装置。
【請求項１９】
前記入力部と前記認証ユニット収納部は、
前記媒体の排出方向において、前記スタッカの下流側に配置されることを特徴とする請求項２記載の情報処理装置。
【請求項２０】
請求項１から１９までの何れか１項に記載の情報処理装置は、画像形成装置であることを特徴とする画像形成装置。
【手続補正２】
【補正対象書類名】明細書
【補正対象項目名】０００４
【補正方法】変更
【補正の内容】
【０００４】
このような画像形成装置において、例えば、ＩＣカードリーダを備える場合、装置外観を損なう虞があった。
【手続補正３】
【補正対象書類名】明細書
【補正対象項目名】０００５
【補正方法】変更
【補正の内容】
【０００５】
本発明による情報処理装置は、
第１のユニットと、前記第１のユニットの上方に配置された第２のユニットとを有し、
前記第２のユニットは、ユーザによる操作入力を受け付ける入力部と、前記第２のユニットに固定され、前記入力部との間に隙間をもって配置され、認証ユニットを収納する認証ユニット収納部とを有することを特徴とする。
本発明による別の情報処理装置は、
本体と、前記本体に取り付けられ、媒体が排出されるスタッカを有するカバーとを有し、
前記本体は、
ユーザによる操作入力を受け付ける入力部と、前記入力部と隣接して配置され、認証ユニットを収納するための認証ユニット収納部と、媒体に画像形成するための画像形成部とを有することを特徴とする。
【手続補正４】
【補正対象書類名】明細書
【補正対象項目名】００２５
【補正方法】変更
【補正の内容】
【００２５】
これらの図に示すように、ＡＤＦユニット４１には、これから読み取る原稿を載置する原稿トレイ４５とその下部に読み取った原稿を載置する排出トレイ４６が備えられ、フラットベッドユニット３１のフレーム３４には、画像読取部３０の前方部において、右側に入力部としての操作パネル８０が配置され、左側には操作パネル８０に隣接してＩＣカードリーダ８５を収納する認証ユニット収納部としてのＩＣカードリーダ収納部５０が配置されている。操作パネル８０は、例えば画像処理条件の各種設定や装置の状態等を表示する表示部と、装置への命令を入力するための操作部とを備えている。ここでは、複合装置１に配設された操作パネル８０に向かう方向（矢印Ａ方向）に複合装置１の正面を想定する。
【手続補正５】
【補正対象書類名】明細書
【補正対象項目名】００５９
【補正方法】変更
【補正の内容】
【００５９】
また、本実施の形態では、認証ユニットとして、ＩＣカードのデータを読み込む非接触型のＩＣカードリーダ８５を採用したが、これに限定されるものではなく、例えば接触型であってもよく、また磁気カードのデータを読み込む磁気カードリーダとすることも可能である。
【手続補正６】
【補正対象書類名】明細書
【補正対象項目名】００６４
【補正方法】変更
【補正の内容】
【００６４】
情報処理装置であって画像形成装置としてのプリンタ２００は、第１のユニットとしてのプリンタ本体２０１と、正面（矢印Ａ方向）から見て、プリンタ本体２０１の上部の後端近傍で左右に延在する第１の回動軸としての回動軸２２０を中心にプリンタ本体２０１に回動自在に保持された第２のユニットとしてのスタッカカバー２１０（網掛部）を備える。プリンタ本体２０１には、スタッカカバー２１０より前方において、左側に認証ユニット収納部としてのＩＣカードリーダ収納部２０３が、右側に入力部としての操作パネル２３０が互いに隣接して配置されている。
【手続補正７】
【補正対象書類名】明細書
【補正対象項目名】００６５
【補正方法】変更
【補正の内容】
【００６５】
プリンタ本体２０１の内部構成は、例えば実施の形態１の図２で説明した画像印刷部１０の内部構成と同じ構成を有するものとする。即ち、内部で印刷が終了した記録用紙は、排出ローラ対２０２（図２では１１８）によってスタッカカバー２１０（図２では１２２）のスタッカとしての排出用紙載置部２１１（図２では１１９）上に順次排出され、重ねて載置される。
【手続補正８】
【補正対象書類名】明細書
【補正対象項目名】００６７
【補正方法】変更
【補正の内容】
【００６７】
尚、本実施の形態では、情報処理装置として画像形成装置であるプリンタ２００を例にして、本体としてのプリンタ本体２０１、第２のユニットとしてのスタッカカバー２１０、認証ユニット収納部としてのＩＣカードリーダ収納部２０３、及び入力部としての操作パネル２３０の関係を説明したが、これに限定されるものではなく、例えば情報処理装置として実施の形態１で示した画像読取部３０と同様の構成を有するスキャナを想定し、第１のユニットとしてフラットベッドユニットを、第２のユニットとしてＡＤＦユニットをそれぞれ想定しても良いなど、種々の態様を取り得るものである。